(57)【要約】【課題】ケーシング内の羽根車の回転で、同ケーシングの吸引口から泡立ち液の泡を吸引し、これを同ケーシング内周面に遠心力で飛散させて消泡する仕様の泡立ち液の消泡を効率よく行え、且つこれを小型、シンプルな装置で体現できるようにする。【解決手段】ケーシング３１内で羽根車３２が回転して該ケーシングの吸引口３３から泡立ち液の泡を吸い込み、これを遠心力で該ケーシング内周面に衝突させて消泡する泡消し器３を内部に持つ泡消し処理室２と、実質的に閉鎖型の泡立ち液収容タンク１とを併設し、該タンクの泡相領域に前記泡消し器３の吸引口３３を位置させる。【選択図】  図１
2004202352.tif 000002
【特許請求の範囲】
【請求項１】
吸引口及び吐出口を持つケーシング内で羽根車が回転して、該ケーシングの吸引口から泡立ち液の泡を吸い込み、これを遠心力で該ケーシング内周面に衝突させて消泡する泡消し器を内部に設けた泡消し処理室と、泡立った液を収容する実質的に閉鎖型のタンクとを併設し、該タンクの泡相領域に前記泡消し器の吸引口を位置させたことを特徴とする消泡装置。
【請求項２】
泡消し処理室をダクト型とし、該処理室を泡立ち液収容タンク上に搭載した請求項１記載の消泡装置。
【請求項３】
ダクト型の泡消し処理室が横長であり、該処理室の内部に泡消し器が複数設置されている請求項２記載の消泡装置。
【請求項４】
泡消し器の羽根車が、モータにより増速電動機構を介して駆動されるようになっている請求項１から３の何れかに記載の消泡装置。
【発明の詳細な説明】
【０００１】
【発明の属する技術分野】
本発明は、泡立った液、例えばストリップを洗浄したアルカリ液の消泡装置、より詳しくはケーシング内の羽根車の回転で、同ケーシングの吸引口から泡立ち液の泡を吸引し、これを遠心力で飛散させ当該ケーシング内周面に衝突させて、消泡する消泡装置に関する。
【０００２】
【従来の技術】
従来、このような仕様で泡立ち液を消泡するものとしては、特開平１１−９９０３号が知られている。
【０００３】
この従来技術は、泡立った液を開放型のタンクに収容し、その泡立った液の泡を当該タンクに備えた泡消し器で消泡するものである。その消泡仕様の概要を図解すると、図７に示す如くである。図７でＡが泡消し器、Ｂが泡立ち液収容タンクである。泡消し器ＡはケーシングＣ及び羽根車Ｄを具備する。Ｅが泡消し器ＡにおけるケーシングＣの吸引管、Ｆが羽根車Ｄのモータ、ＧがケーシングＣの排出口である。
【０００４】
前記泡消し器Ａの羽根車Ｄが駆動されると、吸引管Ｅより空気をケーシングＣに吸引し、排出口Ｇを経て排出する。これに伴い、タンクＢ内の泡立ち液の液面上の泡を吸引管Ｅを通じケーシングＣに吸い込む。吸い込まれた泡は、羽根車Ｄの回転による遠心力で、ケーシングＣの内周面に衝突されて消泡される。この消泡で生じた液滴は、排出口ＧからタンクＢに落下する。
【０００５】
泡立ち液を収容するタンクＢは開放型であり、タンクＢ内の泡立ち液液面上の泡相中に、吸引管Ｅの入り口が開口されている。
【０００６】
【発明が解決しようとする課題】
この従来技術よると、泡消し器Ａの羽根車Ｄの回転によって生じる気流は、図７中に矢符で示すような、比較的小さな領域を環流するに過ぎず、十分な泡吸引効率、換言すれば十分に良好な消泡効率は望めない。このことは、泡消し器Ａの吸引管Ｅを複数本にしたり、タンクＢの液面上を移動し得るようにしたり、吸引管Ｅの吸引口にタンクＢ液面上の泡を掻き寄せ片で掻き寄せるようにしたりするという、改変を付加していることによっても明らかである。
【０００７】
本発明は上記従来技術による問題を解消し、前述した仕様で泡立ち液の消泡を効率よく行えるようにし、しかも、これを小型且つシンプルな装置で達成することを可能にしようというものである。
【０００８】
【課題を解決するための手段】
上記課題解決のため本発明は、吸引口及び吐出口を持つケーシング内で羽根車が回転して、該ケーシングの吸引口から泡立ち液の泡を吸い込み、これを遠心力で該ケーシング内周面に衝突させて消泡する泡消し器を内部に設けた泡消し処理室と、泡立った液を収容する実質的に閉鎖型のタンクとを併設し、該タンクの泡相領域に前記泡消し器の吸引口を位置させている。
【０００９】
本発明によると、泡立った液を収容するタンク（以下及び図面で便宜上、当該タンクを泡立ち液収容タンクともいうことにする）内の泡立った液の泡相は、実質的に閉鎖された空間内に封じ込められた形で、泡消し処理室の泡消し器で消泡され、泡消し器の吸引口には、実質上、外気が吸引されることなく、泡消しされる泡相のみが吸引される。従って、消泡されるべき泡は効率よく泡消される。
【００１０】
このように、泡立ち液収容タンク内の泡立ち液の泡相を、閉鎖空間内に封じ込めた形で、泡消し処理することの構想は、泡立ち液を処理するシステムを、泡立った液を収容するタンクの系と、吸引口を所定位置に位置させた遠心式泡消し器を内部に備えて泡立ち液の泡を消泡する泡消し処理室の系との合成構成としたことにより、体現されている。
【００１１】
本発明では、実質的に閉鎖型の泡立ち液収容タンクと、内部に遠心式泡消し器を備えた泡消し処理室とを併設するのに、当該タンクの泡相領域に当該処理室の泡消し器の吸引口を位置させている。これは、泡消し処理室をダクト型とし、これを泡立ち液収容タンク上に搭載する形で、これらの併設が達成でき、泡立ち液の消泡を効率よく行うことの体現を、小型且つシンプルな装置の適用で達成できる。
【００１２】
泡消し器の羽根車が、モータにより増速伝動機構を介して駆動されるようにするときは、泡消し器の羽根車の増速回転により、泡相の吸い込み効果、消泡効果がより良化される。また、後に述べる実施例のように、泡消し処理室を横長のダクト型とし、その内部に遠心式泡消し器を複数設置し、それら泡消し器の羽根車を、一基のモータで増速伝動機構を介し駆動させるようにできる。
【００１３】
【発明の実施の形態】
本発明の実施形態を図面を参照して、実施例と共に説明する。図で１が泡立ち液収容タンク、２が泡立ち液の泡を消泡する処理室である。泡立ち液収容タンク１は実質的に閉鎖型、泡消し処理室２は横長のダクト型である。タンク１には、例えばストリップを洗浄したアルカリ液のような、泡立った液が収容される。これらタンク１及び処理室２は、タンク１を下、処理室２を上にして、併設される。
【００１４】
処理室２の内部に泡消し器３が装備される。処理室２は泡消し器３に隣接する箇所に排風口２１を有する。泡消し器３は、ケーシング３１、該ケーシング３１内に設けられた羽根車３２、吸引口３３及び吐出口３６を具備する。
【００１５】
泡消し器３は、羽根車３２がケーシング３１内で回転して、同ケーシング３１の吸引口３３から泡立ち液の泡を吸い込み、これを遠心力で同ケーシング３１内周面に衝突させて消泡する。泡消し器３の吐出口３６からの排風は、泡消し処理室２の排風口２１から同処理室２外に排出される。
【００１６】
羽根車３２は、モータＭで駆動される。羽根車３２のモータ駆動は、図３に示すような直結型の様式でもよいし、図１、図２に示すような伝動機構３４を介しての間接型様式でもよい。当該伝動機構３４には、エンドレスベルト形式やエンドレスチェーン形式のものを用いることができる。
【００１７】
泡消し器３は、処理室２一つにつき、一つを装備してもよいし、複数を備えてもよい。複数装備の場合、それら複数の泡消し器３の羽根車３２は、一基のモータＭで、エンドレスベルトまたはエンドレスチェーンによる伝動機構を介して、駆動するようにするとよい（図１、２参照）。羽根車３２のモータ駆動を間接型様式とする場合、その伝動機構には増速伝動機構を充てるとよい。
【００１８】
泡消し処理室２内の泡消し器３の吸引口３３は、実質的に閉鎖型のタンク１の泡相領域に位置されている。この構成は、タンク１における泡立った液の泡を、実質的に閉鎖された空間内に封じ込めた形で、処理室２の泡消し器３により消泡することをもたらす。このため、泡消し器３の吸引口３３には、実質上、外気が吸引されることなく、泡消しされる泡が効率よく吸引され、十分に高い消泡効率が得られる。
【００１９】
泡消し器３で消泡されて生じた液滴は、泡消し器３の吐出口３６から吐出されて、処理室２の底に落下し、処理室２の排液口２２を経て室２外に出る。排液口２２は口端が、泡立ち液収容タンク１内の泡立ち液の泡相領域の箇所で終わっていてもよいし（図４）、タンク１内の泡立ち液の液相領域に達していてもよいし（図５）、タンク１外の箇所に延びていてもよい（図６）。処理室２で泡消されて生じた液滴は、排液口２２口端位置が前記一番目及び二番目の形式ではタンク１に回収され、三番目の形式では別のタンクまたは箇所に集められる。三番目の形式は、処理室２で生じた液滴を、ストリップ洗浄アルカリ液の調製に充当したり、廃棄等の然るべき処理に付したりするのによい。
【００２０】
【発明の効果】
本発明は以上に述べたような形態で実施され、次に示すような効果を奏する。冒頭に述べた仕様の泡立ち液の泡消を効率よく行える。しかも、これを小型且つシンプルな装置の適用で達成することが可能である。
【図面の簡単な説明】
【図１】本発明に係る消泡装置の一例を示す立面図である。
【図２】図１に示す消泡装置の平面図である。
【図３】本発明に係る泡消し器のモータ駆動の一例を示す立面図である。
【図４】本発明の泡消し処理で生じた液滴を泡消し処理室外に排出する形式の図１の例とは別の例を示す立面図である。
【図５】本発明の泡消し処理で生じた液滴を泡消し処理室外に排出する形式の更に別の例を示す立面図である。
【図６】従来技術の消泡装置の立面図を示す。
【図７】従来技術の説明図である。
【符号の説明】
１      泡立ち液収容タンク
２      泡消し処理室
２１    同処理室の排風口
２２    同処理室の排液口
３      泡消し器
３１    ケーシング
３２    羽根車
３３    吸引口
３６    吐出口
【図１】
2004202352.tif 000003
【図２】
2004202352.tif 000004
【図３】
2004202352.tif 000005
【図４】
2004202352.tif 000006
【図５】
2004202352.tif 000007
【図６】
2004202352.tif 000008
【図７】
2004202352.tif 000009